(57)【要約】【課題】通気性を確保して装着した際の快適さ、清涼感及び衛生面を良好に維持し得るトランクスを提供する。【解決手段】猿股状の男性用トランクスであって、開口１２を介して睾丸部Ｙを含む男性器Ｘを挿通させて該睾丸部Ｙと大腿Ｆとの間を仕切るように常時介在する仕切り布１４をトランクス（１０）内側の前部に下端側が自由状態となるように吊支状に配置したものから構成される。これにより、股間部分の通気性を良好に確保できるとともに、仕切り布が睾丸部と大腿との間から離脱しにくく仕切り状態が好適に維持される。【選択図】        図２
2004270063.tif 000002
【特許請求の範囲】
【請求項１】
猿股状の男性用トランクスであり、
開口を介して睾丸部を含む男性器を挿通させて該睾丸部と大腿との間を仕切るように常時介在する仕切り布をトランクス内側の前部に下端側が自由状態となるように吊支状に配置したことを特徴とするトランクス。
【請求項２】
一端側が仕切り布に固定され、その延長側が装着時に股の間を通るように配置されて、他端側がトランクスの背面側に固定される仕切り布による仕切り状態保持用紐が取り付けられた請求項１記載のトランクス。
【発明の詳細な説明】
【０００１】
【発明の属する技術分野】
本発明は、猿股状の男性用のトランクスに関する。
【０００２】
【従来の技術】
従来のトランクスを含む男性用下着では、男性器の睾丸部と大腿とが接触した状態であることが多い。このため、通気性が悪く、長時間座った姿勢が続いたり、運動したりする際等に汗をかきやすく、互いに密着して蒸れてしまっていた。したがって、股間周辺に不快感を感じると同時に、不衛生になりやすく、例えば、インキンタムシやあせも等の皮膚病を発症し、また、それらの症状も悪化しやすいという問題があった。
【０００３】
そこで、例えば、特許文献１において、仕切り布をパンツ本体の前身頃内側に配置して、仕切り布の下辺と左右両辺部分を縫着させた男性用パンツが提案されている。この特許文献１の男性用パンツでは、仕切り布をパンツ本体内面に下辺と左右両辺とをそれぞれ縫着して形成した袋状の収容部内に、その上辺側から男性局部を収容して、仕切り布を男性局部と股内面との間に介在させている。
【特許文献１】実開平６−１２４０４号公報
【０００４】
【発明が解決しようとする課題】
しかしながら、特許文献１の男性用パンツでは、袋状の狭い収容部分に男性局部を収容するので、通気性が十分に確保できず蒸れやすいとともに、装着者は違和感や不快感を感じるものであった。さらに、仕切り布がパンツ本体と一体となっているので、歩いたり、体を動かしたりした際に、男性局部の位置と仕切り布と相対的な位置がずれてしまい男性局部が収容部分から離脱しやすく、実用上の効果が低いものであった。
【０００５】
本発明は、上記従来の課題に鑑みてなされたものであり、その目的は、通気性を確保して装着した際の快適さ、清涼感及び衛生面を良好に維持し、さらに、インキンタムシやあせも等の皮膚病の発症や悪化を防止するとともに、装着状態を保持し得る実用性が高いトランクスを提供することにある。
【０００６】
【課題を解決するための手段】
上記課題を解決するために、本発明は、猿股状の男性用トランクスであり、開口１２を介して睾丸部Ｙを含む男性器Ｘを挿通させて該睾丸部Ｙと大腿Ｆとの間を仕切るように常時介在する仕切り布１４をトランクス（１０）内側の前部に下端側が自由状態となるように吊支状に配置したことを特徴とするトランクスから構成される。トランクス及び内部の仕切り布１４の大きさは、例えば、体格、体型等に応じて任意に設計される。仕切り布１４は、例えば、木綿、絹、又は種々の合成繊維等、柔軟性があって肌触りが良く、吸湿、通気性に優れた素材から任意に選択される。仕切り布１４の形状は、三角形、正方形、短冊形、台形、五角形、それ以上の多角形、長丸、木の葉形状、Ｕ字形状またはその他任意形状で形成される。開口１２の形状は、仕切り布の形状に対応して、長孔、円形、その他任意形状に設けられていても良い。
【０００７】
また、一端側が仕切り布１４に固定され、その延長側が装着時に股の間を通るように配置されて、他端側がトランクス（１０）の背面側に固定される仕切り布１４による仕切り状態保持用紐２２が取り付けられたこととしてもよい。仕切り状態保持用紐２２は、綿、絹、又はポリエステル等の合成繊維等のその他任意の素材でよい。仕切り状態保持用紐２２は、全部またはその一部を伸縮性を有したゴム紐から形成しても良い。また、仕切り状態保持用紐２２の一端側と仕切り布、及び他端側とトランクス背面との固定位置は任意でもよく、その固定手段も、例えば縫着、接着、溶着等任意でよい。また、仕切り状態保持用紐２２は、一本または複数本接続することとしてもよい。
【０００８】
【発明の実施の形態】
以下添付図面を参照しつつ本発明のトランクスの実施の形態について説明する。図１ないし図４は、本発明のトランクスの実施形態を示している。図１ないし図４に示すように、この実施形態において、トランクスは、トランクス本体１０の内側の前部に、開口１２を有した仕切り布１４を吊支状に固定している。トランクス本体１０は、いわゆる猿股状のトランクスからなり、二股に分かれた短いズボン状に設けられており、装着時に腰回りから下腹部、臀部及び大腿の上部側を含む股間部分を覆う。トランクス本体１０の脚貫通用の開口縁は、大腿回りに対して比較的緩く設けられている。
【０００９】
仕切り布１４は、開口１２を介して睾丸部Ｙを含む男性器Ｘを挿通させて該睾丸部Ｙと大腿Ｆとの間を仕切るように常時介在する仕切り体である。図１ないし図４に示すように、仕切り布１４は、トランクス本体１２内部の前部に下端側が自由状態となるように吊支状に配置されている。仕切り布１４は、例えば、綿等の肌触りがよく柔軟性があり、吸湿性及び通気性が高い素材の布地から形成されており、トランクスを装着した際に睾丸部Ｙと大腿Ｆとの間に自在に湾曲して形状を合わせながら仕切り状態、すなわち、睾丸部と大腿との間を仕切るように介在させた状態をつくり、睾丸部Ｙと大腿Ｆとが直接接触して密着するのを防止する。本実施形態において、仕切り布１４は、例えば、下腹部付近から睾丸部の下端までの長さに合わせて設けられた縦長略舌形形状に形成され、下端側にいくにしたがって徐々に幅広く形成されている。仕切り布１４は、その上端部１６をトランクス本体１２上側のゴムの入ったウエスト部１８の内側の前部中央（例えば、トランクス着用時にへその真下にくる位置）付近に縫着して吊支状に固定されている。仕切り布１４の下端側は、トランクス本体１２の股の分かれ目部分２０よりやや上に配置され、トランクス本体１２内部で自在に動かすことができるようになっている。図１、図２では、仕切り布１４の下部側の幅広い略Ｕ字状の部分１５が睾丸部Ｙと大腿Ｆとの間を仕切る介在部分であり、開口１２を挿通した睾丸部Ｙが表側に、大腿Ｆが裏側にそれぞれ当接して常時介在する。
【００１０】
仕切り布１４の開口１２は、仕切り布１４に睾丸部Ｙを含む男性器Ｘを挿通させて仕切り布１４を睾丸部Ｙと大腿Ｆとの間に装着・離脱させる開口である。開口１２は、仕切り布１４の略中央部分に、例えば、仕切り布１４を所要形状に切り欠くことにより設けられており、この実施形態では、縦長い略木の葉形状の長孔状開口から形成されている。開口１２は、その下端部分が男性器の付け根の下側位置と同じかやや下になるように設けられている。仕切り布１４を装着する際には、例えば、開口１２を広げるように仕切り布１４を屈曲させて、容易に睾丸部を含む男性器を開口に挿通させて装着することができる。上述のように、仕切り布は吊支状に固定されており、したがって、単に開口１２を介して男性器を仕切り布に挿通させただけの装着状態を得るので、男性器が密閉状に隔離されることがなく、股間部分の通気性を良好に確保できるとともに、体を動かした際等に仕切り布１４が男性器Ｘにある程度追随して動くことができ、仕切り布１４が所定位置から離脱しにくく仕切り状態が好適に維持される。なお、本実施形態のように仕切り布１４を縦長く形成することによって、仕切り布の下端側の動く範囲が大きくとれ、仕切り布を離脱しにくくできる。
【００１１】
図２ないし図４に示すように、この実施形態において、仕切り布１４の下端側には、仕切り状態保持用紐２２が接続されている。仕切り状態保持用紐２２は、男性器Ｘに仕切り布１４を装着した状態、すなわち仕切り布１４の睾丸部Ｙと大腿Ｆとの間の仕切り状態を保持する紐である。仕切り状態保持用紐２２は、一端を仕切り布１４に固定されて、紐の延長側が装着者の股の間を通るように緩やかに配置されつつ、他端側をトランクス本体１２の内部背面に固定されている。仕切り状態保持用紐２２は、例えば、体を動かした際等に仕切り布１４の上端側の位置の移動に伴ってその下端側が上端側に引っ張られて仕切り布１４が男性器Ｘから前方に離脱することを防ぐことができる。また、例えば、下腹部が出っ張っている人等、装着者の体型にかかわらず仕切り布の仕切り状態を保持できる。仕切り状態保持用紐２２は、装着者が違和感を感じないように、肌触りがよく、柔軟性、吸湿性がある素材が好適であり、例えば、綿等の繊維製の紐から形成される。図に示すように、仕切り状態保持用紐２２は、トランクス装着時には、両脚（大腿）でまたがれた状態となり、股の間から臀部及び背中側にまわして配置されおり、装着者は不快感をほとんど感じない。仕切り状態保持用紐２２の一端側を仕切り布１４の男性器の付け根の位置に近い部分に固定させると好適に仕切り状態が保持できることから、この実施形態では、仕切り状態保持用紐２２の一端側を二枝状に形成して、それぞれの端部が開口１２の下部側の男性器の位置に対応するように開口縁部分に左右対向状に配置しながら縫着されて固定されている。一方、トランクス本体１２の背面に接続される他端側は、トランクス本体１２のウエスト部１８に輪状に固定された環状紐２４を介して接続されている。環状紐２４は、例えば、綿紐、またはゴム紐等から形成され、仕切り布１４の上端部１６に対向して配置されている。該仕切り状態保持用紐２２の他端側を環状紐２４に結びつけることにより固定されており、体型に応じて、仕切り状態保持用紐２２を適度な長さに調節できる。なお、仕切り状態保持用紐は必ずしも取付けなくてもよいが、保持用紐を取付けた方が実用性が高い。
【００１２】
次に、本実施形態のトランクスの作用について説明する。トランクス本体内部の仕切り状態保持用紐をまたぎながら、従来のトランクス等と同様の動作でトランクスをはき、トランクス内部の前側に配置された仕切り布１４が男性器Ｘに近付いたら、手で操作して男性器Ｘを仕切り布の開口１２を介して挿通させ、仕切り布１４の下部側を男性器の睾丸部Ｙと大腿Ｆとの間を仕切るように介在させて装着される。これにより、睾丸部と大腿との肌が密着するのを防ぎ、かつ通気性を良好に確保して衛生面を維持し、装着した際の快適さ、清涼感を得ることができる。さらに、仕切り布１４の下端側が自由状態であるので比較的簡単に装着の操作が行えるとともに、体を動した際に仕切り布１４が男性器Ｘに追随して、仕切り布１４の装着状態を良好に保持できる。
【００１３】
本発明のトランクスは、上記した実施形態に限るものではなく、特許請求の範囲に記載した発明の本質を逸脱しない範囲において任意の改変を行ってもよい。
【００１４】
【発明の効果】
上記したように本発明のトランクスは、猿股状の男性用トランクスであり、開口を介して睾丸部を含む男性器を挿通させて該睾丸部と大腿との間を仕切るように常時介在する仕切り布をトランクス内側の前部に下端側が自由状態となるように吊支状に配置した構成であるから、通気性を良好に確保して股間部分が蒸れることがないとともに、装着した際に良好な爽快感及び清涼感を得ることができ、さらに、衛生面を維持して、インキンタムシやあせも等の皮膚病が発症したり悪化したりするのを防止することができる。さらに、体を動かした際等に仕切り布が男性器にある程度追随して動くことができるので、仕切り布が睾丸部と大腿との間から離脱しにくく仕切り状態が好適に維持される。これにより、実用性が高いトランクスが実現できる。
【００１５】
また、一端側が仕切り布に固定され、その延長側が装着時に股の間を通るように配置されて、他端側がトランクスの背面側に固定される仕切り布による仕切り状態保持用紐が取り付けられた構成とすることにより、体の動きまたは体型等により、睾丸部と大腿との間から仕切り布が離脱するのを防止し、より良好に仕切り状態を保持できるので、様々な場面、体型等に広く対応して着用することができる。
【図面の簡単な説明】
【図１】本発明のトランクスの実施形態の正面説明図である。
【図２】図１のトランクスの一部を切欠いた斜視図である。
【図３】図１のＡ−Ａ線断面説明図である。
【図４】図１のＢ−Ｂ線断面説明図である。
【符号の説明】
１０  トランクス
１２  開口
１４  仕切り布
２２  仕切り状態保持用紐
【図１】
2004270063.tif 000003
【図２】
2004270063.tif 000004
【図３】
2004270063.tif 000005
【図４】
2004270063.tif 000006